(57)【特許請求の範囲】
【請求項１】
システムログインした複数の利用者間で互いに楽曲をリクエスト可能なリクエスト対応カラオケシステムであって、
リクエスト対応楽曲格納手段と、利用者ＩＤ取得手段と、リクエスト曲指定手段と、リクエスト曲管理手段と、リクエスト曲提示手段と、を備え、
前記リクエスト対応楽曲格納手段は、所定のリクエスト対応楽曲データベースにて、利用者ＩＤに紐付けしてリクエストに対応可能な楽曲情報を格納し、
前記利用者ＩＤ取得手段は、システムログインした利用者の利用者ＩＤを取得し、
前記リクエスト曲指定手段は、前記リクエスト対応楽曲データベースにアクセスして、システムログインした利用者の利用者ＩＤに基づいて利用者毎にリクエスト対応可能な楽曲を指定可能に提示し、
前記リクエスト曲管理手段は、前記リクエスト曲指定手段で指定されたリクエスト曲を被リクエスト者に対するリクエスト曲として管理し、
前記リクエスト曲提示手段は、任意の利用者が選曲を行う際に、前記リクエスト曲管理手段で当該利用者を被リクエスト者として管理されたリクエスト曲を選曲可能に提示する、
ことを特徴とするリクエスト対応カラオケシステム。
【請求項２】
前記リクエスト曲指定手段は、前記リクエスト対応楽曲データベースに格納された楽曲の中から、その付帯された歌唱採点結果が所定点数以上である楽曲のみを、システムログインした利用者の利用者ＩＤに基づいて利用者毎にリクエスト対応可能な楽曲として指定可能に提示する、
ことを特徴とする請求項１に記載のリクエスト対応カラオケシステム。
【請求項３】
前記リクエスト曲指定手段は、前記リクエスト対応楽曲データベースに格納された楽曲の中から、その付帯された歌唱回数が所定回数以上である楽曲のみを、システムログインした利用者の利用者ＩＤに基づいて利用者毎にリクエスト対応可能な楽曲として指定可能に提示する、
ことを特徴とする請求項１に記載のリクエスト対応カラオケシステム。
【発明の詳細な説明】
【技術分野】
【０００１】
本発明は、システムログインした複数の利用者間で互いに楽曲をリクエスト可能なリクエスト対応カラオケシステムに関するものである。
【背景技術】
【０００２】
複数の利用者が仲間同士でカラオケ演奏を楽しむ際に、仲間同士で楽曲のリクエストを行うことがある。例えば、歌唱が上手な仲間に対して、所望の楽曲の歌唱をリクエストする場合である。
従来、男女のグループでカラオケシステムを利用する際に、好適なデュエット楽曲を紹介したり検索したりすることができるカラオケシステムが開示されている（特許文献１参照）。
【０００３】
この特許文献１に記載されているカラオケシステムは、男女のグループでカラオケシステムを利用する際に、システムログインした利用者がデュエット曲を歌唱できるか否かを考慮して、デュエット歌唱できる楽曲を判別し、該当するデュエット楽曲に関する情報を選曲可能に表示するものである。これにより、当該グループ内で歌唱可能なデュエット楽曲を好適に紹介したり検索したりすることができるようになっている。具体的には、任意の利用者が歌唱したデュエット楽曲について、その利用者ＩＤに属する性別情報に基づき、当該利用者ＩＤを紐付けして当該デュエット楽曲の男女別歌唱パートの歌唱履歴を記憶する。そして、現在システムログインしている利用者ＩＤに紐付けされた歌唱履歴において、男女いずれの歌唱パートについても歌唱履歴が記録されている楽曲が存在するか否かを判断する。ここで、男女いずれの歌唱パートについても歌唱履歴が記録されている楽曲が存在する場合には、当該楽曲に関する情報を選曲可能に表示するようになっている。
【０００４】
【特許文献１】特開２００６−２０８９５７号公報
【発明の開示】
【発明が解決しようとする課題】
【０００５】
ところで、仲間同士で楽曲のリクエストを行う際には、リクエストを受ける側の利用者（以下、被リクエスト者と称する）に対して口頭でリクエスト曲を伝えることが一般的である。しかしながら、口頭でリクエスト曲を伝えた場合には、被リクエスト者に対して曲名が正確に伝わらないことがある。特に、カラオケ演奏中には、カラオケや歌唱の音響により会話が困難な場合があり、口頭でリクエスト曲を伝えることは難しい。
【０００６】
また、リクエストする側の利用者がリクエスト曲名を正確に覚えていない場合がある。この場合には、リクエストする側の利用者が意図した楽曲が、被リクエスト者に正確に伝わらず、間違った楽曲がリクエストされてしまう。このように、口頭でリクエスト曲を伝える場合には、正確にリクエストを行うことができず、カラオケシステムを用いた演奏及び歌唱の楽しさを十分に楽しむことができない場合があった。
【０００７】
さらに、せっかくリクエストしたにもかかわらず、被リクエスト者が歌唱できない楽曲の場合もある。この場合には、リクエストした利用者の期待を裏切ることになり、カラオケシステムを用いた演奏及び歌唱の楽しさを十分に楽しめないことになる。
【０００８】
本発明は、上述した事情に鑑み提案されたもので、システムログインした複数の利用者間で互いに楽曲をリクエストする場合に、被リクエスト者に対してリクエスト曲を適切かつ正確に伝達することが可能なリクエスト対応カラオケシステムを提供することを目的とする。
【課題を解決するための手段】
【０００９】
本発明のリクエスト対応カラオケシステムは、上述した目的を達成するため、以下の特徴点を有している。
すなわち、本発明のリクエスト対応カラオケシステムは、システムログインした複数の利用者間で互いに楽曲をリクエスト可能なリクエスト対応カラオケシステムに関するものである。このリクエスト対応カラオケシステムは、リクエスト対応楽曲格納手段と、利用者ＩＤ取得手段と、リクエスト曲指定手段と、リクエスト曲管理手段と、リクエスト曲提示手段と、を備えている。そして、各手段は、以下の機能を備えていることを特徴とするものである。
【００１０】
リクエスト対応楽曲格納手段は、所定のリクエスト対応楽曲データベースにて、利用者ＩＤに紐付けしてリクエストに対応可能な楽曲情報を格納する。利用者ＩＤ取得手段は、システムログインした利用者の利用者ＩＤを取得する。リクエスト曲指定手段は、リクエスト対応楽曲データベースにアクセスして、システムログインした利用者の利用者ＩＤに基づいて利用者毎にリクエスト対応可能な楽曲を指定可能に提示する。リクエスト曲管理手段は、リクエスト曲指定手段で指定されたリクエスト曲を被リクエスト者に対するリクエスト曲として管理する。リクエスト曲提示手段は、任意の利用者が選曲を行う際に、リクエスト曲管理手段で当該利用者を被リクエスト者として管理されたリクエスト曲を選曲可能に提示する。
【００１１】
また、リクエスト曲指定手段は、リクエスト対応楽曲データベースに格納された楽曲の中から、その付帯された歌唱採点結果が所定点数以上である楽曲、あるいは歌唱回数が所定回数以上の楽曲のみを、システムログインした利用者の利用者ＩＤに基づいて利用者毎にリクエスト対応可能な楽曲として指定可能に提示するように構成することが可能である。
【００１２】
ここで、リクエスト対応可能な楽曲とは、各利用者の持ち歌のことであり、各利用者の歌唱履歴に残っている楽曲や、各利用者が自ら登録した楽曲のことである。また、付帯された歌唱採点結果が所定点数以上である楽曲、あるいは歌唱回数が所定回数以上の楽曲とは、例えば、各利用者の歌唱履歴に残っている楽曲や登録した楽曲の中で、歌唱採点結果が７０点以上である楽曲や、歌唱回数が１０回以上である楽曲のことをいう。
【発明の効果】
【００１３】
本発明のリクエスト対応カラオケシステムによれば、システムログインした複数の利用者間で互いに楽曲をリクエストする場合に、利用者ＩＤに基づいてリクエスト対応楽曲データベースを参照し、システムログインした利用者毎にリクエスト対応可能な楽曲を指定可能に提示する。そして、提示された楽曲の中から、リクエストをする側の利用者が所望の楽曲を指定すると、被リクエスト者が選曲を行う際に、当該リクエスト曲が選曲可能に提示される。
【００１４】
したがって、システムログインした複数の利用者間で互いに楽曲をリクエストする場合に、被リクエスト者に対してリクエスト曲を適切かつ正確に伝達することが可能となる。また、リクエスト曲は、各利用者の持ち歌の中から選ばれるため、被リクエスト者にとっては得意曲であることが一般的であり、リクエストした利用者の期待を裏切ることがない。
【００１５】
また、歌唱採点結果が所定点数以上である楽曲、あるいは歌唱回数が所定回数以上の楽曲のみをリクエスト対応可能な楽曲として提示する構成とした場合には、被リクエスト者にとって得意曲がリクエストされる可能性が高まり、リクエストに応えやすくなる。したがって、リクエストする側及びリクエストを受ける側の双方の利用者にとって、カラオケシステムを用いた演奏及び歌唱の楽しさを十分に楽しむことが可能となる。
【発明を実施するための最良の形態】
【００１６】
＜第１の実施形態＞
以下、図面を参照して本発明のリクエスト対応カラオケシステムの第１の実施形態を説明する。
本発明の第１の実施形態に係るリクエスト対応カラオケシステムは、システムログインした複数の利用者間で互いに楽曲をリクエスト可能なリクエスト対応カラオケシステムである。このリクエスト対応カラオケシステムは、リクエスト対応楽曲格納手段と、利用者ＩＤ取得手段と、リクエスト曲指定手段と、リクエスト曲管理手段と、リクエスト曲提示手段と、を基本構成としている。
【００１７】
＜カラオケシステムの概要＞
図１は、本発明の第１の実施形態に係るリクエスト対応カラオケシステムの構成を示すもので、図１（ａ）は通信ネットワークを用いてリクエスト対応カラオケシステムを構成した場合の模式図、図１（ｂ）はホスト装置の概略構成を示すブロック図である。
【００１８】
本発明の実施形態に係るリクエスト対応カラオケシステムは、図１（ａ）に示すように、通信ネットワーク１２を介して相互に接続されたホスト装置１１と複数のカラオケ演奏端末１３とを備えている。通信ネットワーク１２は、公衆電話回線、専用電話回線、光通信回線、ＬＡＮ等を用いることができるが、ネットワークに対する第三者の侵入やデータの傍聴及び改竄が困難であると共に、帯域を独占せず安価な通信網であるという点で、インターネットにより構成されるＶＰＮを利用することが好ましい。
【００１９】
＜ホスト装置＞
ホスト装置１１は、図１（ｂ）に示すように、送受信部２１、制御手段２２、データ処理手段２３、リクエスト対応楽曲格納手段として機能する顧客データベース２４を備えている。これらの構成要素のうち、少なくともリクエスト対応楽曲格納手段として機能する顧客データベース２４及びカラオケ演奏端末１３により本発明の実施形態に係るリクエスト対応カラオケシステムが構成される。
【００２０】
＜送受信部＞
送受信部２１は、各カラオケ演奏端末１３との間でデータの送受信を行うための手段であり、通信ネットワーク１２における通信方式の整合性を保つための通信回路やソフトウェアにより構成される。制御手段２２は、ホスト装置１１を統括的に制御するための手段であり、ＣＰＵ及びその周辺機器を含んで構成され、ＣＰＵ等がＲＯＭ等に格納されたアプリケーションプログラムに従って動作することにより制御機能を発揮するようになっている。
【００２１】
＜データ処理手段／顧客データベース／リクエスト対応楽曲データベース＞
データ処理手段２３は、顧客データベース２４にアクセスして、データの抽出、変更、追加を処理するためのプログラムからなる。顧客データベース２４は、利用者毎に利用者情報が登録されたデータベースであり、本発明ではリクエスト対応楽曲格納手段を構成するリクエスト対応楽曲データベース２４ａの機能を兼ね備えている。この顧客データベース２４は、利用者毎に、利用者ＩＤ、氏名、セカンドネーム（例えば愛称）、住所、電話番号、年齢、性別、職業等が関連付けて構成されている。さらに、この顧客データベース２４には、リクエスト対応楽曲データベース２４ａが含まれており、その機能として、利用者毎に、登録楽曲及びその採点結果、歌唱履歴楽曲及びその採点結果を格納している。
【００２２】
ここで、登録楽曲とは、利用者が頻繁に歌唱する楽曲として自ら登録した楽曲のことであり、歌唱履歴楽曲とは、利用者が歌唱した楽曲を履歴情報としたものである。
なお、顧客データベース２４にリクエスト対応楽曲データベース２４ａの機能を兼ね備えるのではなく、リクエスト対応楽曲データベース２４ａを別個のデータベースとして構成してもよい。
【００２３】
＜カラオケ演奏端末＞
次に、カラオケ演奏端末１３について説明する。図２は、カラオケ演奏端末１３の構成を示すブロック図である。
カラオケ演奏端末１３は、図２に示すように、カラオケ本体３１、表示手段３２、ミキシングアンプ３３、スピーカ３４、マイクロホン３５、遠隔入出力端末３６、利用者ＩＤ取得手段３７を備えると共に、通信ネットワーク１２を介してホスト装置１１と接続されている。カラオケ本体３１と表示手段３２とは、有線方式又は無線方式により接続されている。また、ホスト装置１１からカラオケ演奏端末１３に対して、楽曲データ、更新楽曲データ等が送信される。
【００２４】
＜遠隔入出力端末＞
遠隔入出力端末３６は、ユーザインタフェース機能を備えており、カラオケ本体３１のローカル送受信手段４９に対して有線方式又は無線方式によりデータの送受信を行うようになっており、データの送受信を行うための回路基板及びプログラムと、リクエスト曲指定手段５４、リクエスト曲提示手段５５、及び楽曲検索手段５６として機能させるためのプログラムと、一時記憶領域であるフラッシュメモリ（図示せず）とを備えている。ここで利用される無線方式としては、例えば近接無線通信技術であるｉｒＤＡやbluetooth（登録商標）等を挙げることができる。また、ユーザインタフェース機能として、例えば液晶ディスプレイとタッチセンサとを積層した入出力用表示部（図示せず）を備えており、入出力用表示部に表示されるアイコンや文字列にタッチすることにより、楽曲の選択やデータの入力を行うようになっている。
【００２５】
＜カラオケ本体＞
カラオケ本体３１は、バス４１、ネットワーク送受信手段４２、中央制御手段４３、ＲＯＭ４４、ＲＡＭ４５、ＨＤＤ４６、楽曲データベース４７、映像データベース４８、ローカル送受信手段４９、リクエスト曲管理手段５０、予約管理手段５１、音楽曲出力手段５２、再生制御手段５３を備えている。なお、楽曲データベース４７、映像データベース４８は、ＨＤＤ４６に格納されている。
【００２６】
＜中央制御手段＞
中央制御手段４３は、リクエスト対応カラオケシステムを総合的に制御するための手段であり、例えばＣＰＵ及びその周辺機器により構成されており、ＣＰＵ等がＲＯＭ４４等に記憶されたアプリケーションプログラムに従って動作することにより、制御機能を発揮することができるようになっている。
【００２７】
＜ＲＯＭ／ＲＡＭ＞
ＲＯＭ４４は、リクエスト対応カラオケシステムを構成する各機器を制御するためのアプリケーションプログラムデータや数値データを記憶するための機器で、例えば半導体メモリ等で構成される。また、ＲＡＭ４５は、アプリケーションプログラムや種々のデータを一時的に読み込む一時記憶領域として機能するための機器で、例えば半導体メモリ等で構成される。なお、物理的な半導体メモリによりＲＡＭ４５を構成するのではなく、ハードディスク記憶装置等を用いて仮想的なＲＡＭ４５を構成してもよい。本実施形態では、ＲＡＭ４５に、予約待ち行列が格納されている。
【００２８】
＜ＨＤＤ／楽曲データベース／映像データベース＞
楽曲データベース４７及び映像データベース４８は、大容量記憶装置であるＨＤＤ４６に格納されている。大容量記憶装置としては、ＨＤＤの他に、データを書き替え可能なＤＶＤ等を用いることができる。
楽曲データベース４７は、演奏データ（ＭＩＤＩ（登録商標）データ）及び歌詞テロップデータが同期されて構成される楽曲データについて、楽曲ＩＤと対応付けてそれぞれ格納したデータベースである。
【００２９】
また、演奏データは各楽曲の演奏データをデジタル化したものであり、歌詞テロップデータは演奏データに同期された楽曲の歌詞文字データである。映像データベース４８は、演奏される楽曲に対応した背景映像を、当該楽曲の楽曲ＩＤに対応させた映像ファイルとして所定数格納したデータベースである。
【００３０】
＜音楽曲出力手段＞
音楽曲出力手段５２は、楽曲ＩＤに基づいて楽曲データベース４７から抽出された演奏データをデジタル再生すると共にアナログ変換してミキシングアンプ３３に出力するための電子回路である。ミキシングアンプ３３は、マイクロホン３５から入力された歌唱者の歌唱音声と、音楽曲出力手段５２から送出される演奏データとをミキシングすると共に、アンプ機能により増幅してスピーカ３４より出力させるための手段である。なお、マイクロホンの数は１本に限られず、２本以上であってもよい。
【００３１】
＜再生制御手段＞
再生制御手段５３は、カラオケ演奏中に、楽曲データベース４７から抽出された楽曲データのうちの歌詞テロップデータ（歌詞文字データ）を当該楽曲の演奏データに同期させて表示手段３２に出力するための電子回路である。さらに、再生制御手段５３は、遠隔入出力端末３６を介した利用者からの操作指示による予約楽曲リストの表示等を表示手段３２に表示させる機能も有している。
【００３２】
＜表示手段＞
表示手段３２は、カラオケ演奏時の映像、歌詞テロップ及び表示識別情報等を表示するための装置で、例えばＣＲＴディスプレイ、液晶ディスプレイ、プラズマディスプレイ等により構成される。
【００３３】
＜利用者ＩＤ取得手段＞
利用者ＩＤ取得手段３７は、利用者がカラオケ演奏端末１３にログインする際に、利用者が所持するＩＤ媒体３８から利用者ＩＤを取得するための電子回路及びプログラムからなる。利用者ＩＤ取得手段３７で取得した利用者ＩＤは、ＲＡＭ４５に一時的に記憶される。ＩＤ媒体３８は、例えば、非接触型のＩＣカード、携帯電話、携帯情報端末等からなり、利用者ＩＤを記憶して、利用者ＩＤ取得手段３７との間でデータの送受信を行うことができるようになっている。
【００３４】
＜リクエスト曲指定手段＞
リクエスト曲指定手段５４は、遠隔入出力端末３６における一機能であり、リクエスト対応楽曲データベース２４ａにアクセスして、システムログインした利用者の利用者ＩＤに基づいて利用者毎にリクエスト対応可能な楽曲を指定可能に提示するためのプログラムである。ここで、リクエスト対応可能な楽曲とは、各利用者の持ち歌のことであり、各利用者の歌唱履歴に残っている楽曲や、各利用者が自ら登録した楽曲のことである。
【００３５】
具体的には、利用者がシステムログインすると、リクエスト曲指定手段５４の機能により、リクエスト対応楽曲データベース２４ａにアクセスして、システムログインした利用者の利用者ＩＤに基づいて利用者毎にリクエスト対応可能な楽曲に関する情報を取得する。取得した情報は、リクエスト対応楽曲テーブルとして、遠隔入出力端末３６のフラッシュメモリに格納される。このリクエスト対応楽曲テーブルは、例えば、図３に示すように、利用者ＩＤと対応可能な楽曲ＩＤとを紐付けして構成される。
【００３６】
そして、利用者が遠隔入出力端末３６における楽曲検索手段５６の機能を用いて選曲を行う際に、リクエスト曲指定手段５４の機能を用いてリクエスト対応楽曲テーブルを参照し、遠隔入出力端末３６の表示画面に、リクエスト画面が表示される。
具体的なリクエスト画面には、図４に示すように、仲間としてシステムログインした各利用者の持ち歌が表示される。この持ち歌の表示は、例えば、被リクエスト者であるリクエスト対象者の名前及び当該被リクエスト者に対するリクエスト可能な曲名からなる。リクエストする側の利用者は、表示された被リクエスト者毎の持ち歌の中から所望の楽曲を選択することにより、リクエストを行うことができる。
【００３７】
リクエスト曲の選択は、例えば、表示画面に表示されたリクエストボタンを、利用者がタッチすることにより行われる。利用者がリクエストボタンをタッチすると、リクエストボタンが反転表示され、リクエスト曲として選択したことが明示される。この場合、表示画面に表示されたリクエストボタンを、利用者が再度タッチすることにより、反転表示が解除され、リクエスト曲の選択が解除されたことが明示される。
【００３８】
ここで、被リクエスト者が、複数の持ち歌を有している場合には、すべての持ち歌が表示される。この際、一画面ですべての持ち歌を表示しきれない場合には、スクロールボタンを操作することにより、順次持ち歌が表示される。また、被リクエスト者が持ち歌を有していない場合には、当該利用者については、リクエスト対象曲が表示されない。
【００３９】
このようにしてリクエストが行われると、リクエストした利用者が遠隔入出力端末３６における楽曲検索手段５６の機能を用いて選曲を行う際に、遠隔入出力端末３６の表示画面に、リクエスト済画面が表示される。このリクエスト済画面には、図５に示すように、被リクエスト者の名前、利用者ＩＤ、顔写真、リクエスト曲の曲名、アーティスト名、楽曲ＩＤ等が表示される。
【００４０】
＜リクエスト曲管理手段＞
リクエスト曲管理手段５０は、リクエスト曲指定手段５４で指定されたリクエスト曲を被リクエスト者に対するリクエスト曲として管理するためのプログラムである。このリクエスト曲管理手段５０で管理されるリクエスト曲に関する情報は、例えば、リクエスト曲一覧テーブルとして遠隔入出力端末３６のフラッシュメモリに格納される。このリクエスト曲一覧テーブルは、例えば、図６に示すように、被リクエスト者の利用者ＩＤ、リクエストされた楽曲の楽曲ＩＤ、及びリクエストした利用者の利用者ＩＤを紐付けして構成したものである。
【００４１】
＜リクエスト曲提示手段＞
リクエスト曲提示手段５５は、遠隔入出力端末３６に設けられた手段であり、任意の利用者が選曲を行う際に、リクエスト曲管理手段５０で当該利用者を被リクエスト者として管理されたリクエスト曲を選曲可能に提示するためのプログラムである。
【００４２】
具体的には、任意の利用者が楽曲検索手段５６の機能により選曲を行う際に、リクエスト曲提示手段５５の機能によりリクエスト曲一覧テーブルを参照し、遠隔入出力端末３６の表示画面に、リクエスト選曲画面が表示される。
具体的なリクエスト選曲画面には、図７に示すように、リクエストされた曲名、楽曲ＩＤ、及びリクエストをした利用者の名前が表示される。被リクエスト者は、表示されたリクエスト曲の中から所望の楽曲を選択することができる。なお、この場合、リクエストに応えずに、自ら所望する楽曲を選択することもできる。
【００４３】
リクエスト曲の中から選曲を行うには、例えば、表示画面に表示された選曲ボタンを、利用者がタッチすればよい。利用者が選曲ボタンをタッチすると、選曲ボタンが反転表示され、リクエスト曲を選曲したことが明示される。この場合、表示画面に表示された選曲ボタンを、利用者が再度タッチすることにより、反転表示が解除され、リクエスト曲の選曲が解除されたことが明示される。
【００４４】
＜予約管理手段＞
予約管理手段５１は、利用者により遠隔入出力端末３６における楽曲検索手段５６の機能を用いて選曲され、ローカル送受信手段４９を介して送信された当該選曲者の利用者ＩＤ、及び選曲された楽曲ＩＤを対応付けて予約待ち行列としてＲＡＭ４５に格納し、管理するためのプログラムである。なお、楽曲選択の表示や予約待ち行列の表示は、遠隔入出力端末３６の入出力用表示部及び表示手段３２のいずれか一方、あるいは双方で行うことができる。
【００４５】
具体的な予約確認画面には、図８に示すように、予約された楽曲の曲名、選曲者の名前及び顔写真が表示される。さらに、リクエストに応えて選曲した場合には、リクエストした利用者の名前及び顔写真も表示される。
【００４６】
＜送受信手段＞
ローカル送受信手段４９は、遠隔入出力端末３６との間でデータの送受信を行うための手段である。ネットワーク送受信手段４２は、通信ネットワーク１２を介してホスト装置１１との間でデータの送受信を行うための手段であり、通信ネットワーク１２における通信方式の整合性を保つための通信回路やソフトウェアにより構成される
＜第２の実施形態＞
次に、本発明の第２の実施形態に係るリクエスト対応カラオケシステムについて説明する。
本発明の第２の実施形態に係るリクエスト対応カラオケシステムは、上述した第１の実施形態に係るリクエスト対応カラオケシステムと比較して、リクエスト曲指定手段５４の機能が異なっており、その他の構成は、第１の実施形態と同様である。以下、第２の実施形態に特有の部分についてのみ説明を行う。
【００４７】
本発明の第２の実施形態に係るリクエスト曲指定手段５４は、リクエスト対応楽曲データベース２４ａに格納された楽曲の中から、その付帯された歌唱採点結果が所定点数以上である楽曲、あるいは歌唱回数が所定回数以上の楽曲のみを、システムログインした利用者の利用者ＩＤに基づいて利用者毎にリクエスト対応可能な楽曲として指定可能に提示するようにしたものである。ここで、歌唱採点結果の所定値は、例えば７０点以上であり、歌唱回数の所定値は、例えば１０回以上である。なお、以下に示す具体例では、歌唱採点結果が７０点以上である楽曲のみを提示する場合を示す。
【００４８】
具体的には、利用者がシステムログインすると、リクエスト曲指定手段５４の機能により、リクエスト対応楽曲データベース２４ａにアクセスして、システムログインした利用者の利用者ＩＤに基づいて利用者毎にリクエスト対応可能な楽曲に関する情報を取得する。この際、歌唱採点結果が７０点以上である楽曲のみを抽出する。取得した情報は、例えばリクエスト対応楽曲テーブルとして、遠隔入出力端末３６のフラッシュメモリに格納される。このリクエスト対応楽曲テーブルは、例えば、図９に示すように、利用者ＩＤと、対応可能な楽曲ＩＤと、当該楽曲の採点値とを紐付けして構成される。
【００４９】
リクエスト曲管理手段５０では、リクエスト曲指定手段５４で指定されたリクエスト曲を被リクエスト者に対するリクエスト曲として管理する。リクエスト曲管理手段５０で管理されるリクエスト曲に関する情報は、例えば、リクエスト曲一覧テーブルとして遠隔入出力端末３６のフラッシュメモリに格納される。このリクエスト曲一覧テーブルは、例えば、図１０に示すように、被リクエスト者の利用者ＩＤ、リクエストされた楽曲の楽曲ＩＤ、リクエストされた楽曲の採点値、及びリクエストした利用者の利用者ＩＤを紐付けして構成したものである。
【００５０】
そして、任意の利用者が楽曲検索手段５６の機能により選曲を行う際に、リクエスト曲提示手段５５の機能によりリクエスト曲一覧テーブルを参照し、遠隔入出力端末３６の表示画面に、リクエスト選曲画面が表示される。
具体的なリクエスト選曲画面には、図１１に示すように、リクエストされた曲名、楽曲ＩＤ、採点値、及びリクエストをした利用者の名前が表示される。被リクエスト者は、表示されたリクエスト曲の中から所望の楽曲を選択することができる。なお、この場合、リクエストに応えずに、自ら所望する楽曲を選択することもできる。
【００５１】
＜他の実施形態＞
本発明のリクエスト対応カラオケシステムを構成する機器や手段は上述したものに限定されず、リクエスト対応カラオケシステムの利用目的等に応じて、必要な機器や手段のみの構成としたり、適宜他の機器や手段を付加したりすることができる。
また、各手段をそれぞれ別個のものとして構成するのではなく、複数の機能を統合した手段として構成してもよい。
さらに、顧客データベース２４及びリクエスト対応楽曲データベース２４ａをホスト装置１１の構成要素とするのではなく、カラオケ演奏端末１３の構成要素として、ローカルで顧客情報の管理及び楽曲別経過期間対応テンポレベルの取得に関する処理を行ってもよい。
【図面の簡単な説明】
【００５２】
【図１】本発明の第１の実施形態に係るリクエスト対応カラオケシステムの概略構成を示すブロック図。
【図２】カラオケ演奏端末の構成を示すブロック図。
【図３】第１の実施形態に係るリクエスト対応楽曲テーブルの構成を示す説明図。
【図４】リクエスト画面の説明図。
【図５】リクエスト済画面の説明図。
【図６】第１の実施形態に係るリクエスト曲一覧テーブルの構成を示す説明図。
【図７】第１の実施形態に係るリクエスト選曲画面の説明図。
【図８】予約確認画面の説明図。
【図９】第２の実施形態に係るリクエスト対応楽曲テーブルの構成を示す説明図。
【図１０】第２の実施形態に係るリクエスト曲一覧テーブルの構成を示す説明図。
【図１１】第２の実施形態に係るリクエスト選曲画面の説明図。
【符号の説明】
【００５３】
１１  ホスト装置
１２  通信ネットワーク
１３  カラオケ演奏端末
２１  送受信部
２２  制御手段
２３  データ処理手段
２４  顧客データベース
２４ａ  リクエスト対応楽曲データベース
３１  カラオケ本体
３２  表示手段
３３  ミキシングアンプ
３４  スピーカ
３５  マイクロホン
３６  遠隔入出力端末
３７  利用者ＩＤ取得手段
３８  ＩＤ媒体
４１  バス
４２  ネットワーク送受信手段
４３  中央制御手段
４４  ＲＯＭ
４５  ＲＡＭ
４６  ＨＤＤ
４７  楽曲データベース
４８  映像データベース
４９  ローカル送受信手段
５０  リクエスト曲管理手段
５１  予約管理手段
５２  音楽曲出力手段
５３  再生制御手段
５４  リクエスト曲指定手段
５５  リクエスト曲提示手段
５６  楽曲検索手段
【図１】
0005014927.tif 000002
【図２】
0005014927.tif 000003
【図３】
0005014927.tif 000004
【図４】
0005014927.tif 000005
【図５】
0005014927.tif 000006
【図６】
0005014927.tif 000007
【図７】
0005014927.tif 000008
【図８】
0005014927.tif 000009
【図９】
0005014927.tif 000010
【図１０】
0005014927.tif 000011
【図１１】
0005014927.tif 000012